(57)【要約】【課題】  ワイン冷蔵庫の圧縮機から発生する振動が、冷蔵室に保管されたワイン瓶に伝達されることを防止することで、ワインの品質を向上できるワイン冷蔵庫の棚を提供する。【解決手段】  冷却室１３の内部に水平に位置されたフレーム１１０と、前記フレーム１１０の内部に位置され、前記フレーム１１０の左右方向に所定間隔を有して前記フレーム１１０の前後方向に長く形成された複数の支持ワイヤー１２０と、前記各支持ワイヤー１２０に結合されてワイン瓶５０を弾力的に支持する複数個の弾性支持部材１３０と、を含んでワイン冷蔵庫の棚を構成する。【選択図】      図１
2005331223.tif 000002
【特許請求の範囲】
【請求項１】
冷却室の内部に水平に位置されたフレームと、
前記フレームの内部に位置され、前記フレームの左右方向に所定間隔を有して前記フレームの前後方向に長く形成される複数の支持ワイヤーと、
前記各支持ワイヤーに結合されてワイン瓶を弾力的に支持する複数個の弾性支持部材と、
を含むワイン冷蔵庫の棚。
【請求項２】
前記各支持ワイヤーは、前記冷却室の前後方向に長く位置されることを特徴とする請求項１記載のワイン冷蔵庫の棚。
【請求項３】
前記弾性支持部材は、前記各支持ワイヤーに位置された同一直径の第１支持部および第２支持部により構成されることを特徴とする請求項１記載のワイン冷蔵庫の棚。
【請求項４】
前記第１支持部は、ワイン瓶の下部を支持し、前記第２支持部は、ワイン瓶の中間部を支持することを特徴とする請求項３記載のワイン冷蔵庫の棚。
【請求項５】
前記支持ワイヤーには、前記第１支持部及び第２支持部よりも大きい直径の第３支持部が結合されることを特徴とする請求項３記載のワイン冷蔵庫の棚。
【請求項６】
前記第３支持部の下端部には、切開溝が形成されることを特徴とする請求項５記載のワイン冷蔵庫の棚。
【請求項７】
前記第１支持部乃至第３支持部は、裁頭円錐状に形成されることを特徴とする請求項６記載のワイン冷蔵庫の棚。
【請求項８】
前記弾性支持部材は、ゴム材であることを特徴とする請求項１記載のワイン冷蔵庫の棚。
【請求項９】
前記弾性支持部材は、前記支持ワイヤーにスライド自在に結合されることを特徴とする請求項１記載のワイン冷蔵庫の棚。
【請求項１０】
冷却室の内部に水平に位置されたフレームと、
前記フレームの内部に位置され、前記フレームの左右方向に所定間隔を有して前記フレームの前後方向に長く形成された複数の支持ワイヤーと、
ワイン瓶を弾力的に支持するように前記支持ワイヤーにスライド自在に結合される弾性支持部材と、を含んで構成されたワイン冷蔵庫の棚。
【請求項１１】
前記弾性支持部材は、前記各支持ワイヤーに結合される複数個の結合部と、前記複数個の結合部のうち、左右方向に隣接する各結合部を相互連結する連結部と、から構成されることを特徴とする請求項１０記載のワイン冷蔵庫の棚。
【請求項１２】
前記連結部は、ゴム材であることを特徴とする請求項１１記載のワイン冷蔵庫の棚。
【請求項１３】
冷却室の内部に水平に位置されたフレームと、
前記フレームの後側に固定された第１支持ワイヤーと、
前記フレームの前側に脱着自在に装着された第２支持ワイヤーと、
ワイン瓶を弾力的に支持するように前記第１支持ワイヤーおよび第２支持ワイヤーの外周面に結合された弾性支持部材と、を含むワイン冷蔵庫の棚。
【請求項１４】
前記フレームの両側上面には、前記第２支持ワイヤーの端部を差し込むための複数の固定溝が均等間隔に形成されることを特徴とする請求項１３記載のワイン冷蔵庫の棚。
【請求項１５】
前記第２支持ワイヤーは、前記各固定溝に差し込まれて前記第１支持ワイヤーとの間隔が調整されることを特徴とする請求項１４記載のワイン冷蔵庫の棚。
【請求項１６】
前記第１支持ワイヤーおよび前記第２支持ワイヤーには、前記ワイン瓶の外周面を収容する複数の収容部が所定間隔に形成されることを特徴とする請求項１３記載のワイン冷蔵庫の棚。
【請求項１７】
前記収容部は、Ｕ字形状であることを特徴とする請求項１４記載のワイン冷蔵庫の棚。
【請求項１８】
前記フレームの内部には、ワイン瓶の落下を防止する複数の落下防止ワイヤーが装着されることを特徴とする請求項１５記載のワイン冷蔵庫の棚。
【請求項１９】
前記落下防止ワイヤーは、ワイン瓶の直径よりも小さい間隔で配列されることを特徴とする請求項１８記載のワイン冷蔵庫の棚。
【発明の詳細な説明】
【技術分野】
【０００１】
本発明は、ワイン冷蔵庫の棚に係るもので、詳しくは、冷却室に保管されたワイン瓶を振動なしに安全に支持できるワイン冷蔵庫の棚に関するものである。
【背景技術】
【０００２】
一般に、ワインは、瓶の中でも熟成が行われるため、その取り扱い及び保管に格別な注意及び努力を要するものである。すなわち、ワインの保管時、日光、湿度、適正な温度維持だけでなく、振動遮断も、ワインの品質を決定する非常に重要な要因として知られている。
【０００３】
図１３は、従来のワイン冷蔵庫を示した斜視図で、図１４は、図１３の棚を示した平面図である。
【０００４】
図示したように、従来のワイン冷蔵庫１０には、内部に冷却室１３が形成された本体１１と、冷却室１３を開閉するように本体１１の側面に結合されたドア１７と、を備えている。
【０００５】
前記本体１１の上部には、冷却室１３の温度を調節する温度調節部１５を備えている。前記冷却室１３の両側壁には、棚支持部１４がそれぞれ固定形成されており、前記棚支持部１４には、ワイン瓶５０を支持する棚２１がスライド引出自在に装着されている。
【０００６】
棚２１の構造を図１４に基づいて説明すると、前記フレーム２３の内部には、前記フレーム２３の幅方向、すなわち、図面の左右方向に沿って所定間隔を有して複数の支持ワイヤー２５が形成されている。
【０００７】
ここで、前記支持ワイヤー２５は、フレーム２３の前後方向に沿ってフレーム２３の内部に結合されてワイン瓶５０を支持する役割をする。
【発明の開示】
【発明が解決しようとする課題】
【０００８】
しかし、従来のワイン冷蔵庫の棚２１においては、別途の防振部材なしに支持ワイヤー２５上にワイン瓶５０が直接置かれるため、ワイン冷蔵庫１１の運転時、圧縮機などから発生する振動が棚２１を通してワイン瓶５０に直ちに伝達されることで、ワインの内部物質が浮遊されるため、ワインの品質が低下するという問題点があった。
【０００９】
本発明は、このような従来の課題に鑑みてなされたもので、ワイン冷蔵庫の圧縮機から発生する振動が、冷蔵室に保管されたワイン瓶に伝達されることを防止することで、ワインの品質を向上できるワイン冷蔵庫の棚を提供することを目的とする。
【課題を解決するための手段】
【００１０】
このような目的を達成するため、本発明の第１実施形態に係るワイン冷蔵庫の棚は、冷却室の内部に水平に位置されたフレームと、前記フレームの内部に位置され、前記フレームの左右方向に所定間隔を有して前記フレームの前後方向に長く形成された複数の支持ワイヤーと、前記各支持ワイヤーに結合されてワイン瓶を弾力的に支持する複数個の弾性支持部材と、を含むことを特徴とする。
【００１１】
前記弾性支持部材は、前記各支持ワイヤーに位置された同一直径の第１支持部および第２支持部により構成され、前記第１支持部は、ワイン瓶の後側に位置されて下部を支持し、前記第２支持部は、フレームの中間に位置されてワイン瓶の中間部を支持する。
【００１２】
一方、本発明の第２実施形態に係るワイン冷蔵庫の棚は、冷却室の内部に水平に位置されたフレームと、前記フレームの内部に位置され、前記フレームの左右方向に所定間隔を有して前記フレームの前後方向に長く形成された複数の支持ワイヤーと、前記各支持ワイヤに結合されてワイン瓶を弾力的に支持する複数個の弾性支持部材と、を含んで構成されることを特徴とする。
【００１３】
前記弾性支持部材は、前記各支持ワイヤーに位置された同一直径の第１および第２支持部と、これらより相対的に大きい直径の第３支持部と、から構成される。
【００１４】
前記第１支持部は、フレームの後側に位置されてワイン瓶の下部を支持し、前記第２支持部及び第３支持部は、フレームの中間部に位置されてワイン瓶の中間を支持するが、小さな直径のワイン瓶の場合、前記第３支持部がワイン瓶の首部を支持することもできる。
【００１５】
一方、本発明の第３実施形態に係るワイン冷蔵庫の棚は、冷却室の内部に水平に位置されたフレームと、前記フレームの内部に位置され、前記フレームの前後方向に所定間隔を有して前記フレームの左右方向に長く形成された複数の支持ワイヤーと、前記各支持ワイヤーに結合されてワイン瓶を弾力的に支持する複数個の弾性支持部材と、を含むことを特徴とする。
【００１６】
前記弾性支持部材は、前記各支持ワイヤーに位置された同一直径の第１および第２支持部と、これらよりも相対的に大きい直径の第３支持部と、から構成される。
【００１７】
前記第１支持部は、フレームの後側に位置されてワイン瓶の下部を支持し、前記第２支持部及び第３支持部は、フレームの中間部に位置されてワイン瓶の中間を支持するが、小さな直径のワイン瓶の場合、第３支持部がワイン瓶の首部を支持することもできる。
一方、本発明の第４実施形態に係るワイン冷蔵庫の棚は、冷却室の内部に水平に位置されたフレームと、前記フレームの内部に位置され、前記フレームの左右方向に所定間隔を有して前記フレームの前後方向に長く形成された複数の支持ワイヤーと、ワイン瓶を弾力的に支持するように前記支持ワイヤーにスライド自在に結合された弾性支持部材と、を含むことを特徴とする。
【００１８】
前記弾性支持部材は、前記各支持ワイヤーに結合される複数個の結合部と、前記複数個の結合部のうち、左右方向に隣接する各結合部を相互連結する連結部と、から構成される。
【００１９】
前記連結部は、各支持ワイヤーとの直交方向、即ちフレームの左右方向に配列されており、前記結合部は、支持ワイヤーの長さ方向にスライド自在に構成されることで、弾性部材全体がフレームの前後方向にスライドされる。
【００２０】
一方、本発明の第５実施形態に係るワイン冷蔵庫の棚は、冷却室の内部に水平に位置されたフレームと、前記フレームの後側に固定された第１支持ワイヤーと、前記フレームの前側に脱着自在に装着された第２支持ワイヤーと、ワイン瓶を弾力的に支持するように前記第１支持ワイヤーおよび第２支持ワイヤーの外周面に結合された多数の弾性支持部材と、を含むことを特徴とする。
【００２１】
前記フレームの両側上面には、前記第２支持ワイヤーの端部を差し込むための複数の固定溝が均等間隔にフレームの前後方向に形成される。
前記第２支持ワイヤーは、前記各固定溝に差し込まれて前記第１支持ワイヤーとの間隔が調整されるように構成される。
【００２２】
また、前記フレームの内部には、ワイン瓶の落下を防止する複数の落下防止ワイヤーがワイン瓶の直径よりも小さい間隔で複数個配列される。
【発明の効果】
【００２３】
本発明のワイン冷蔵庫の棚によると、ゴム材などの弾性材質をスライドしながらワイン瓶の大きさとは関係なしにワイン瓶を弾力的に支持し、ワイン冷蔵庫の圧縮機から発生する振動が、冷蔵室に保管されたワイン瓶に伝達されることを防止することで、ワインの品質を向上するとともに、ワイン瓶の落下及び破損を防止できるという効果がある。
【発明を実施するための最良の形態】
【００２４】
以下、本発明の実施の形態に対し、図面に基づいて説明する。
本発明のワイン冷蔵庫は、棚を除くと従来のワイン冷蔵庫の構造と同一であるので、これに対する説明は図１３を参照する。
【００２５】
図１は、本発明の第１実施形態に係るワイン冷蔵庫の棚を示した平面図で、図２は、図１のI-I線断面図で、図３は、図１のII-II線断面図である。
【００２６】
図１乃至図３に示すように、本発明の第１実施形態に係るワイン冷蔵庫の棚１００は、冷却室１３の内部に水平に位置されたフレーム１１０と、前記フレーム１１０の内部に位置され、前記フレーム１１０の左右方向に所定間隔を有して前記フレーム１１０の前後方向に長く形成された複数の支持ワイヤー１２０と、前記各支持ワイヤー１２０に結合されてワイン瓶５０を弾力的に支持する複数個の弾性支持部材１３０と、から構成される。
【００２７】
前記各支持ワイヤー１２０は、前記フレーム１１０とは別途の材料により製造された後、熔接などの通常的な固定手段により前記フレーム１１０に固定することもできるし、最初からフレームと同一の材料で鋳物やプレス方法により前記フレーム１１０と一体に形成することもできる。
【００２８】
前記弾性支持部材１３０は、前記各支持ワイヤー１２０に位置された同一幅の第１支持部１３１および第２支持部１３２により構成されるが、前記第１支持部１３１は、フレーム１１０の後側に位置されてワイン瓶５０の下部５０aを支持し、前記第２支持部１３２は、フレーム１１０の中間に位置されてワイン瓶５０の中間５０bを支持する。
【００２９】
前記第２支持部１３２は、その下部に切開溝１３２aが形成されており、図３の波線で示すように、前記第２支持部１３２を下方に押すと、前記第２支持部１３２の下部が弾性的に変形されて広がり、この広がった隙間tに前記支持ワイヤー１２０が結合されるとともに、図３の実線で示すように、前記第２支持部１３２の下部が元の位置に復帰される。このように、前記第２支持部１３２の下部の切開溝１３２aを用いて前記第２支持部１３２を前記支持ワイヤー１２０に容易に結合するとともに、前記支持ワイヤー１２０の交替作業時も、前記第２支持部１３２を前記支持ワイヤー１２０から容易に分離することができる。
【００３０】
以下、このように構成された本発明の第１実施形態に係るワイン冷蔵庫の棚の作動を説明する。
【００３１】
まず、弾性支持部材１３０の上面にワイン瓶５０を載置すると、前記ワイン瓶５０が支持ワイヤー１２０に直接接することなく、弾性支持部材１３０に接するようになる。前記弾性支持部材１３０は、ゴム材などのソフトで伸縮性のある材質からなるので、ワイン冷蔵庫の運転時、圧縮機などから発生する外部の振動が弾性支持部材１３０により抑制または吸収されることで、外部の振動がワイン瓶５０に伝達されることを防止するため、ワインの品質を向上することができる。
【００３２】
一方、図４は、本発明の第２実施形態に係るワイン冷蔵庫の棚を示した平面図で、図５は、図４のIII-III線断面図である。
【００３３】
図示したように、本発明の第２実施形態に係るワイン冷蔵庫の棚２００は、冷却室１３の内部に水平に位置されたフレーム２１０と、前記フレーム２１０の内部に位置され、前記フレーム２１０の左右方向に所定間隔を有して前記フレーム２１０の前後方向に長く形成された複数の支持ワイヤー２２０と、前記各支持ワイヤー２２０に結合されてワイン瓶５０を支持する複数個の弾性支持部材２３０と、を含む。
【００３４】
前記弾性支持部材２３０は、前記各支持ワイヤー１２０に位置された同一直径D１の第１支持部２３１および第２支持部２３２と、これらよりも相対的に大きい直径D２の第３支持部２３３と、から構成される。
【００３５】
前記第１支持部２３１は、フレーム２１０の後側に位置されてワイン瓶５０の下部５０aを支持し、前記第２支持部２３２及び第３支持部２３３は、フレーム２１０の中間部に位置されてワイン瓶５０の中間５０bを支持するが、小さな直径のワイン瓶５０'の場合、前記第３支持部２３３が首部５０c'を支持することもできる。
【００３６】
本発明の第２実施形態に係るワイン冷蔵庫の棚２００における本発明の第１実施形態に係るワイン冷蔵庫の棚１００との相違点は、前記第３支持部２３３を備えてワイン瓶の中間あるいは首部５０cを密着支持することで、ワイン瓶の遊動を効果的に防止し、多様な大きさのワイン瓶を傾けることなく常に水平に維持できるという点にある。
【００３７】
一方、図６は、本発明の第３実施形態に係るワイン冷蔵庫の棚を示した平面図で、図７は、図６のIV-IV線線断面図である。
【００３８】
図示したように、本発明の第３実施形態に係るワイン冷蔵庫の棚３００は、冷却室１３の内部に水平に位置されたフレーム３１０と、前記フレーム３１０の内部に位置され、前記フレームの前後方向に所定間隔を有して前記フレーム３１０の左右方向に長く形成された複数の支持ワイヤー３２０と、前記各支持ワイヤー３２０に結合されてワイン瓶５０を弾力的に支持する複数個の弾性支持部材３３０と、を含む。
【００３９】
前記弾性支持部材３３０は、前記各支持ワイヤー３２０に位置された同一直径D１の第１支持部３３１および第２支持部３３２と、これらよりも相対的に大きい直径D２を有する第３支持部３３３と、から構成される。
【００４０】
前記第１支持部３３１は、フレーム３１０の後側に位置されてワイン瓶５０の下部を支持し、前記第２支持部３３２は、フレーム３１０の中間部に位置されてワイン瓶５０の中間を支持し、前記第３支持部３３３は、小さな直径のワイン瓶の場合に首部を支持する。
【００４１】
本発明の第３実施形態に係るワイン冷蔵庫の棚３００における本発明の第２実施形態に係るワイン冷蔵庫の棚２００との相違点は、第一に、前記第１支持部３３１乃至第３支持部３３３が裁頭円錐状に形成され、第３支持部３３３の外周面が前記ワイン瓶５０の外周面に対応して傾斜された点にある。このように第１支持部３３１乃至第３支持部３３３の外周面が前記ワイン瓶５０の外周面に対応して傾斜されることで、ワイン瓶５０の振動をより効果的に防止することができる。
【００４２】
第二に、前記支持ワイヤー３２０が、前記フレーム３１０の内部に位置され、前記フレーム３１０の前後方向に所定間隔を有して前記フレーム３１０の左右方向に長く形成される点にある。このように前記支持ワイヤー３２０が前記フレーム３１０の左右方向に長く形成されることで、前記支持ワイヤー３２０に結合された第３支持部３３３の間隔を調節し、前記第３支持部３３３の外周面が前記ワイン瓶５０の外周面に密着されることで、ワイン瓶５０の振動をより効果的に防止することができる。
【００４３】
一方、図８は、本発明の第４実施形態に係るワイン冷蔵庫の棚を示した平面図で、図９は、図８のV-V線断面図である。
【００４４】
図示したように、本発明の第４実施形態に係るワイン冷蔵庫の棚４００は、冷却室１３の内部に水平に位置されたフレーム４１０と、前記フレーム４１０の内部に位置され、前記フレーム４１０の左右方向に所定間隔を有して前記フレーム４１０の前後方向に長く形成された複数の支持ワイヤー４２０と、ワイン瓶５０を弾力的に支持するように前記支持ワイヤー４２０にスライド自在に結合された弾性支持部材４３０と、を含む。
【００４５】
前記弾性支持部材４３０は、前記各支持ワイヤー４２０に結合された複数個の結合部４３１と、前記複数個の結合部４３１のうち、左右方向に隣接する各結合部４３１を相互連結する連結部４３２と、から構成される。
【００４６】
前記連結部４３２は、各支持ワイヤー４２０との直交方向、即ちフレーム４１０の左右方向に配列されており、前記結合部４３２は、支持ワイヤー４２０の長さ方向にスライド自在に構成されることで、弾性部材４３０全体がフレーム４１０の前後方向にスライドされる。ここで、前記連結部４３１は、ワイン瓶５０を弾力的に支持するようにゴム材により形成されることが好ましい。
【００４７】
以下、このように構成された本発明の第４実施形態に係るワイン冷蔵庫の棚の作用を説明する。
【００４８】
本発明の第４実施形態に係るワイン冷蔵庫の棚４００における本発明の第１実施形態に係るワイン冷蔵庫の棚１００との相違点は、連結部４３２を備えることで前記各連結部４３２間の間隔を同時に調節できるという点にある。また、前記連結部４３２がフレームの左右方向に配列されることで、複数個のワイン瓶５０を同時に支持することもできる。
【００４９】
一方、図１０は、本発明の第５実施形態に係るワイン冷蔵庫の棚を示した斜視図で、図１１は、図１０の側面図である。
【００５０】
図示したように、本発明の第５実施形態に係るワイン冷蔵庫の棚５００は、冷却室１３の内部に水平に位置されたフレーム５１０と、前記フレーム５１０の後側に固定された第１支持ワイヤー５２０と、前記フレーム５１０の前側に脱着自在に装着された第２支持ワイヤー５３０と、ワイン瓶５０を弾力的に支持するように前記第１支持ワイヤー５２０および第２支持ワイヤー５３０の外周面に結合された複数の弾性支持部材５４０と、を含む。
【００５１】
前記フレーム５１０の両側上面には、前記第２支持ワイヤー５３０の端部を差し込むための複数の固定溝５１１が均等間隔にフレームの前後方向に形成される。
【００５２】
前記第２支持ワイヤー５３０は、前記各固定溝５１１に差し込まれて前記第１支持ワイヤー５２０との間隔を調整するように構成される。
【００５３】
前記第１支持ワイヤー５２０および前記第２支持ワイヤー５３０には、前記ワイン瓶５０の外周面を収容する複数の収容部５２１がU字形状に均等に形成されており、これらの収容部５２１の外周面には、前記弾性支持部材５４０が結合されている。
【００５４】
また、前記フレーム５１０の内部には、ワイン瓶５０の落下を防止する複数の落下防止ワイヤー５５０がワイン瓶５０の直径よりも小さい間隔で配列されている。
【００５５】
以下、本発明の第５実施形態に係るワイン冷蔵庫の棚の作動を説明する。
まず、弾性支持部材５４０の上面にワイン瓶５０を載置すると、前記ワイン瓶５０が支持ワイヤー５２０、５３０に直接接することなく、弾性支持部材５４０に接するようになる。このとき、収容部５２１がU字形状に形成されてワイン瓶の外周面を取り囲んでおり、前記弾性支持部材５４０がゴム材などのソフトで伸縮性のある材質からなるため、ワイン冷蔵庫の運転時、圧縮機などから発生する外部の振動が弾性支持部材５４０により抑制または吸収されることで、外部の振動がワイン瓶５０に伝達されることを防止するため、ワインの品質を向上することができる。
【００５６】
また、使用者の不注意によりワイン瓶５０が弾性支持部材５４０から滑る場合も、複数の前記落下防止ワイヤー５５０がワイン瓶５０の直径よりも小さい間隔で配列されるため、ワイン瓶５０の落下および破損を防止することができる。
【００５７】
一方、図１２は、従来および本発明のワイン冷蔵庫におけるワイン瓶の位置別振動レベルを比較して説明するグラフである。
【００５８】
グラフ中、横軸はワイン瓶の位置を示し、縦軸は振動の大きさを示す。
図示したように、ワイン瓶５０に伝達される振動レベルを測定した結果、ワイン瓶５０の中心部３を基準に、ワイン瓶５０の下部および首部に行くほど振動が大きく発生することが分かる。
【００５９】
また、従来のワイン冷蔵庫の棚のグラフL１に比べると、本発明のワイン冷蔵庫の棚のグラフL２の振動レベルが相対的に小さいことが分かる。
【図面の簡単な説明】
【００６０】
【図１】本発明の第１実施形態に係るワイン冷蔵庫の棚を示した平面図である。
【図２】図１のI-I線断面図である。
【図３】図１のII-II線断面図である。
【図４】本発明の第２実施形態に係るワイン冷蔵庫の棚を示した平面図である。
【図５】図４のIII-III線断面図である。
【図６】本発明の第３実施形態に係るワイン冷蔵庫の棚を示した平面図である。
【図７】図６のIV-IV線断面図である。
【図８】本発明の第４実施形態に係るワイン冷蔵庫の棚を示した平面図である。
【図９】図８のV-V線断面図である。
【図１０】本発明の第５実施形態に係るワイン冷蔵庫の棚を示した斜視図である。
【図１１】図１０の側面図である。
【図１２】従来および本発明のワイン冷蔵庫の棚におけるワイン瓶の位置別振動レベルを比較して説明するグラフである。
【図１３】従来のワイン冷蔵庫を示した斜視図である。
【図１４】図１３の棚を示した平面図である。
【符号の説明】
【００６１】
５０    ワイン瓶
１００、２００、３００、４００、５００    棚
１１０、２１０、３１０、４１０、５１０    フレーム
１２０、２２０、３２０、４２０    支持ワイヤー
１３０、２３０、３３０、４３０    弾性支持部材
１３１    第１支持部
１３２    第２支持部
１３２a    切開溝
t    隙間
２３３    第３支持部
４３１    結合部
４３２    連結部
５２０    第１支持ワイヤー
５３０    第２支持ワイヤー
５４０    弾性支持部材
５１１    固定溝
５２１    収容部
【図１】
2005331223.tif 000003
【図２】
2005331223.tif 000004
【図３】
2005331223.tif 000005
【図４】
2005331223.tif 000006
【図５】
2005331223.tif 000007
【図６】
2005331223.tif 000008
【図７】
2005331223.tif 000009
【図８】
2005331223.tif 000010
【図９】
2005331223.tif 000011
【図１０】
2005331223.tif 000012
【図１１】
2005331223.tif 000013
【図１２】
2005331223.tif 000014
【図１３】
2005331223.tif 000015
【図１４】
2005331223.tif 000016